(57)【特許請求の範囲】
【請求項１】
電源を供給する電源コードと、前記電源コードを巻付けるリールと、前記リールを回転自在に収容するケースと、溝部を有し、前記ケースの孔部に外から取り外し可能に固定された軸部と、一端を前記リールに保持するとともに、他端を前記軸部の溝部に保持して前記リールを前記電源コードの巻取方向へ付勢するゼンマイと、前記ケースに収容した前記リールおよび前記電源コードを蓋う蓋体とを具備し、前記ゼンマイは、前記ケースの孔部より大きく形成して、前記軸部を前記溝部とは反対方向に前記ケースから取り外した時、一端が前記軸部の溝部から外れて付勢力が除去された状態で前記リールと前記ケースとの間に保持されるよう構成した電源コード巻取装置。
【請求項２】
電源を供給する電源コードと、前記電源コードを巻付けるリールと、溝部を有する軸部を切断部を介して設け、前記リールを回転自在に収容するケースと、一端を前記リールに保持するとともに、他端を前記軸部の溝部に保持して前記リールを前記電源コードの巻取方向へ付勢するゼンマイと、前記ケースに収容した前記リールおよび前記電源コードを蓋う蓋体とを具備し、前記ゼンマイは、前記ケースの孔部より大きく形成して、前記軸部を前記切断部で前記ケースから切除して前記溝部とは反対方向に前記ケースから取り外した時、一端が前記軸部の溝部から外れて付勢力が除去された状態で前記リールと前記ケースとの間に保持されるよう構成した電源コード巻取装置。
【請求項３】
請求項１または２記載の電源コード巻取装置を有するアイロン。
【請求項４】
電源コード巻取装置は、アイロン本体を載置し同アイロン本体に通電する載置台に設けた請求項３記載の電源コード巻取装置を有するアイロン。
【請求項５】
電源コード巻取装置は、アイロン本体の後部に設けた請求項３記載の電源コード巻取装置を有するアイロン。
【発明の詳細な説明】
【０００１】
【発明の属する技術分野】
本発明は、電源コードを収納する電源コード巻取装置に関するものである。
【０００２】
【従来の技術】
従来、この種の電源コード巻取装置を有したアイロンは、図９〜図１１に示すような構成をしていた。以下、その構成について説明する。
【０００３】
図に示すように、ベース１は、ベース１を加熱するヒータ２を埋設し、前記ベース１の上方に把手体３を設けている。また、ベース１の上方に貯水用の水タンク４を配置し、この水タンク４の水をベース１に供給し気化させることによりスチームを噴出する。５はアイロン本体Ａを載置する載置台で、載置台５の上方外郭を形成するスタンド６と下方外郭を形成する裏蓋７、および、ベース１の下面に対向して配置した耐熱材料よりなる遮熱体８により形成され、また、載置台５の内部には、アイロン本体Ａに電気を供給する電源供給部９、および、電源コード巻取装置１０が内蔵されている。
【０００４】
また、電源コード巻取装置１０は、外郭上方を蓋体１１、外郭下方をケース１２により形成され、内部には、電源コード１３を巻付けたリール１４と、電源コード１３の電気を外部に出力するための接続装置１５が設けられている。１６は電源コード１３をリール１４に巻き取るために、一方をリール１４に、他方をケース１２の軸部１７に支持されたゼンマイである。
【０００５】
上記構成において、電源コード巻取装置１０は、電源コード１３を安定的に収納可能なように、電源コード１３を完全に巻き取った状態においても、さらに電源コード１３を巻き取る方向へ回転力が作用するように、電源コード１３を巻付けたリール１４をケース１２の軸部１７に嵌合した状態で、リール１４を所定量回転させた後、電源コード１３をケース１２に設けた開口部１２ａから引出し可能に電源プラグ１３ａを位置させ、あらかじめゼンマイ１６を巻いた状態で組み立てられている。１８は蓋体１１とケース１２を外周の複数箇所で固定するねじで、上記蓋体１１とケース１２でリール１４を回転自在に保持している。
【０００６】
【発明が解決しようとする課題】
現在、家電商品においてもリサイクル性が重要視され、分解容易な構成が求められるようになってきた。しかしながら、電源コード巻取装置１０は、樹脂製の蓋体１１およびケース１２の内部に、電源コード１３に含まれる銅線、ゼンマイ１６、接続装置１５等の金属部品等が含まれているが、前記のように、ゼンマイ１６には強い回転力が与えられているため、不用意に分解するとゼンマイ１６に与えられている回転力が瞬時に開放されるため、リール１４、電源コード１３等の内蔵物が飛び出す恐れがあるため、分解しないようにしているのが一般的であった。そのため、電源コード巻取装置は分解されず、リサイクルが行われにくいものとなっていた。
【０００７】
本発明は上記課題を解決するもので、分解作業が安全に実施でき、材料の分別を容易にしてリサイクル性に優れた電源コード巻取装置を提供することを目的としている。
【０００８】
【課題を解決するための手段】
本発明は上記目的を達成するために、蓋体で蓋われたケースに収容したリールおよび電源コードを、ゼンマイにより電源コードの巻取方向へ付勢するとともに、ゼンマイはケースの孔部より大きく形成して、ケースに固定された軸部を、ゼンマイの一端を保持した溝部とは反対方向に前記ケースから取り外した時、ゼンマイは、一端が軸部の溝部から外れて付勢力が除去された状態でリールとケースとの間に保持されるよう構成したものである。
【０００９】
これにより、蓋体を取り外す前にゼンマイの付勢力を解除することができ、分解時に蓋体を取り外した際に、リールや電源コードが飛び出すことがなく、安全に分解することが可能となり、材料の分別を容易にすることができる。
【００１０】
【発明の実施の形態】
本発明の請求項１に記載の発明は、電源を供給する電源コードと、前記電源コードを巻付けるリールと、前記リールを回転自在に収容するケースと、溝部を有し、前記ケースの孔部に外から取り外し可能に固定された軸部と、一端を前記リールに保持するとともに、他端を前記軸部の溝部に保持して前記リールを前記電源コードの巻取方向へ付勢するゼンマイと、前記ケースに収容した前記リールおよび前記電源コードを蓋う蓋体とを具備し、前記ゼンマイは、前記ケースの孔部より大きく形成して、前記軸部を前記溝部とは反対方向に前記ケースから取り外した時、一端が前記軸部の溝部から外れて付勢力が除去された状態で前記リールと前記ケースとの間に保持されるよう構成したものであり、電源コード巻取装置を分解するときは、蓋体を取り外す前にゼンマイの付勢力を電源コード巻取装置の外郭より容易に解除することができ、ゼンマイが電源コード巻取装置から飛び出すのを防止することができるとともに、蓋体を取り外した際にもリールや電源コードが飛び出すことがなく、安全に分解することができる。
【００１１】
請求項２に記載の発明は、電源を供給する電源コードと、前記電源コードを巻付けるリールと、溝部を有する軸部を切断部を介して設け、前記リールを回転自在に収容するケースと、一端を前記リールに保持するとともに、他端を前記軸部の溝部に保持して前記リールを前記電源コードの巻取方向へ付勢するゼンマイと、前記ケースに収容した前記リールおよび前記電源コードを蓋う蓋体とを具備し、前記ゼンマイは、前記ケースの孔部より大きく形成して、前記軸部を前記切断部で前記ケースから切除して前記溝部とは反対方向に前記ケースから取り外した時、一端が前記軸部の溝部から外れて付勢力が除去された状態で前記リールと前記ケースとの間に保持されるよう構成したものであり、電源コード巻取装置を分解するときは、蓋体を取り外す前にゼンマイの付勢力解除が電源コード巻取装置の外郭より容易に行え、ゼンマイが電源コード巻取装置から飛び出すのを防止することができるとともに、蓋体を取り外した際にもリールや電源コードが飛び出すことがなく、安全に分解することができる。
【００１２】
請求項３に記載の発明は、上記請求項１または２記載の電源コード巻取装置を有するアイロンであり、電源コード巻取装置を分解するときは、蓋体を取り外す前にゼンマイの付勢力を解除することができ、蓋体を取り外した際にもリールや電源コードが飛び出すことがなく、安全に分解することができ、アイロンに使用されている部材のリサイクルを促進することができる。
【００１３】
請求項４に記載の発明は、上記請求項３に記載の発明において、電源コード巻取装置は、アイロン本体を載置し同アイロン本体に通電する載置台に設けたものであり、載置台に設けた電源コード巻取装置に内蔵しているゼンマイの回転力を解放して安全に分解することができ、アイロンに使用されている部材のリサイクルを促進することができる。
【００１４】
請求項５に記載の発明は、上記請求項３に記載の発明において、電源コード巻取装置は、アイロン本体の後部に設けたものであり、アイロン本体に設けた電源コード巻取装置に内蔵しているゼンマイの回転力を解放して安全に分解することができ、アイロンに使用されている部材のリサイクルを促進することができる。
【００１５】
【実施例】
以下、本発明の実施例について、図面を参照しながら説明する。なお、従来例と同じ構成のものは同一番号を付与して説明を省略する。
【００１６】
（実施例１）
図１から図４に示すように、電源コード巻取装置２０は、外郭上方を蓋体１１、外郭下方をケース２１により形成され、内部には、電源コード１３を巻付けたリール１４と、電源コード１３の電気を外部に出力するための接続装置１５が設けられている。上記蓋体１１とケース２１およびリール１４は、いずれも熱可塑性の樹脂により形成している。
【００１７】
１６は渦巻状に形成したゼンマイで、外側の一端をリール１４に固定している。ケース２１の中央部には、ゼンマイ１６の内側の他端を固定するための溝部２２を有した軸部２３を突出して設けてあり、この軸部２３は、ケース２１の下方に設けた孔２１ａより挿入され、ケース２１の孔２１ａに嵌合して固定されている。
【００１８】
そして、軸部２３はケース２１に対して回転することがなく、ゼンマイ１６の回転力を開放しないように非円形に形成してあり、ゼンマイ１６はリール１４と軸部２３とに固定されて、電源コード１３の巻取方向へ付勢している。このゼンマイ１６は、リール１４のケース２１側に取り付けられている。
【００１９】
また、ケース２１と軸部２３は不用意に外れたり、外したりしないように例えば粘着シール等の被覆体２４により外から覆って確実に固定している。また、電源コード巻取装置２０は、軸部２３が固定されているケース２１にゼンマイ１６、リール１４、の順に挿入した後、蓋体１１をねじ１８でケース２１に締め付けて固定するもので、上記軸部２３を電源コード巻取装置２０から取外すことによって、ゼンマイ１６の付勢力を除去する付勢力除去手段を構成している。
【００２０】
電源コード巻取装置２０は、電源コード１３を安定的に収納可能なように、電源コード１３を完全に巻き取った状態においても、さらに電源コード１３が巻き取れる回転力を有するように、リール１４に一端を保持したゼンマイ１６の他端を軸部２３の溝部２２に挿入した後、ケース２１に取り付けた軸部２３にリール１４を嵌合し、リール１４をケース２１内に回転自在に装着する。
【００２１】
この状態で、リール１４を電源コード１３とともに所定量回転させてあらかじめゼンマイ１６を巻いた状態で組み立て、電源コード１３を開口部１２ａから引き出し可能なように電源プラグ１３ａを位置させた後、ねじ１８により蓋体１１をケース２１に取り付けている。そして、このように組立てられた電源コード巻取装置２０は、アイロン本体Ａを載置し同アイロン本体Ａに通電する載置台５に設けられている。
【００２２】
上記構成において、電源コード巻取装置２０を分解するときは、被覆体２４を外して軸部２３をケース２１の表面に露出させた後、ゼンマイ１６の一端を固定している軸部２３をケース２１の下方より取り外すと、ゼンマイ１６は、軸部２３での固定を失い、ゼンマイ１６に印加されている回転力を開放する。
【００２３】
軸部２３を取外したときに開放される孔２１ａは、ゼンマイ１６より小さく形成してあり、ゼンマイ１６は外側へ拡がる方向へ力が作用するため、孔２１ａからゼンマイ１６が出ることがなく、リール１４とケース２１との間に保持することができる。
【００２４】
その後、蓋体１１をケース２１に固定していたねじ１８を外し、リール１４をゼンマイ１６と一体に外す。このとき、ゼンマイ１６の回転力は開放されているため、安全に分解することができる。したがって、分解して材料別の分別が可能になり、リサイクル性の優れた電源コード巻取装置を実現することができる。
【００２５】
（実施例２）
図５から図７に示すように、電源コード巻取装置２５のケース２６の中央部に、ゼンマイ１６の一端を固定するための溝部２７をもつ軸部２８を設け、この軸部２８の周辺には軸部２８と同心円の一部不連続部２９を有するスリット３０が施されており、不連続部２９をニッパーやナイフ等の刃物によって切断することにより軸部２８はケース２６からの固定がなくなるようにしたものである。また、不連続部２９は、蓋体１１がケース２６より外される前に切断可能に構成している。他の構成は上記実施例１と同じである。
【００２６】
上記構成において、電源コード巻取装置２５を分解するときは、まず、ケース２６の下方より軸部２８と同心円に施された不連続部２９を、工具等により切断すると、軸部２８をケース２６から分離され、この軸部２８をケース２６の下方より抜き去る。これにより、ゼンマイ１６は軸部２８側の固定を失い、印加されている回転力を開放する。その後、蓋体１１をケース２１に固定しているねじを外し、リール１４をゼンマイ１６と一体に外す。この際、前記のようにゼンマイ１６の回転力は開放されているため、安全に分解することができる。
【００２７】
なお、不連続部２９を有したスリット３０は、多角形や方形等でもよく、軸部２８をケース２６から分離できるように、軸部２８を囲むように設けてあればよい。
【００２８】
また、上記実施例１、２で示した構成は、図８に示すようなアイロン本体Ｂの後部に設けた電源コード巻取装置４０にも実施することができる。
【００２９】
【発明の効果】
以上のように、請求項１に記載の発明によれば、蓋体を取り外す前に電源コード巻取装置内でゼンマイの付勢力を解除することができ、電源コード巻取装置を安全に分解することができる。
【００３０】
また、請求項２に記載の発明によれば、簡単な構成で蓋体を取り外す前に電源コード巻取装置内でゼンマイの付勢力を解除することができ、電源コード巻取装置を安全に分解することができる。
【００３１】
また、請求項３〜５に記載の発明によれば、電源コード巻取装置を安全に分解することができ、アイロンに使用されている部材のリサイクルを促進することができる。
【図面の簡単な説明】
【図１】  本発明の実施例１の電源コード巻取装置の要部断面図
【図２】  同電源コード巻取装置の上面図
【図３】  同電源コード巻取装置の軸部を下方より外した要部断面図
【図４】  同電源コード巻取装置の下面図
【図５】  本発明の実施例２の電源コード巻取装置の要部断面図
【図６】  同電源コード巻取装置の軸部を下方より外した要部断面図
【図７】  同電源コード巻取装置の下面図
【図８】  本発明の他の実施例の電源コード巻取装置を有したアイロンの側面図
【図９】  従来の電源コード巻取装置を有したアイロンの要部断面図
【図１０】  従来の電源コード巻取装置の上面図
【図１１】  同電源コード巻取装置の要部断面図
【符号の説明】
１１  蓋体
１３  電源コード
１４  リール
１６  ゼンマイ
２０  電源コード巻取装置
２１  ケース
２２  溝部
２３  軸部
【図１】
0003928328.tif 000002
【図２】
0003928328.tif 000003
【図３】
0003928328.tif 000004
【図４】
0003928328.tif 000005
【図５】
0003928328.tif 000006
【図６】
0003928328.tif 000007
【図７】
0003928328.tif 000008
【図８】
0003928328.tif 000009
【図９】
0003928328.tif 000010
【図１０】
0003928328.tif 000011
【図１１】
0003928328.tif 000012